(57)【要約】【課題】本発明は、防水性を向上させた電気接続箱を提供する。【解決手段】電気接続箱１０は、回路構成体１２を内部に収容するケーシング１１と、ケーシング１１の底部に設けられて相手側コネクタと嵌合可能なコネクタハウジング２９と、回路構成体１２に接続されると共にコネクタハウジング２９の壁部を貫通してコネクタハウジング２９内に引き込まれる複数の端子金具３３と、ケーシング１１とは別体に形成されてケーシング１１内に配されてなり、且つ、隣り合う端子金具３３の上方を覆う第１防水壁４２を有すると共に、隣り合う端子金具３３とケーシング１１の側壁１９との間を仕切る第２防水表壁４４及び第２防水側壁４５を有する防水カバー４１と、を備える。【選択図】図３
2009124874.tif 000002
【特許請求の範囲】
【請求項１】
回路構成体を内部に収容するケーシングと、前記ケーシングの底部に設けられて相手側コネクタと嵌合可能なコネクタハウジングと、前記回路構成体に接続されると共に前記コネクタハウジングの壁部を貫通して前記コネクタハウジング内に引き込まれる複数の端子金具と、前記ケーシングとは別体に形成されて前記ケーシング内に配されてなり、且つ、隣り合う前記端子金具の上方を覆う第１防水壁を有すると共に、隣り合う前記端子金具と前記ケーシングの側壁との間を仕切る第２防水壁を有する防水カバーと、を備えた電気接続箱。
【請求項２】
前記防水カバーは前記コネクタハウジングに取り付けられている請求項１に記載の電気接続箱。
【請求項３】
前記第１防水壁の上面には、下降傾斜した傾斜面が形成されている請求項１または請求項２に記載に電気接続箱。
【請求項４】
前記コネクタハウジングの上面には、前記コネクタハウジングの上に流れ落ちた水を前記コネクタハウジングの側方に案内するための排水溝が形成されている請求項１または請求項３のいずれか一項に記載の電気接続箱。
【請求項５】
前記ケーシングの底部には排水口が形成されている請求項１または請求項４のいずれか一項に記載の電気接続箱。
【請求項６】
前記回路構成体の表面はシール材により覆われており、前記第１防水壁における前記回路構成体側の端縁は、前記シール材に埋設されている請求項１ないし請求項５のいずれか一項に記載の電気接続箱。
【請求項７】
前記回路構成体の表面はシール材により覆われており、前記第２防水壁における前記回路構成体側の端縁は、前記シール材に埋設されている請求項１ないし請求項５のいずれか一項に記載の電気接続箱。
【請求項８】
前記回路構成体の表面はシール材により覆われており、前記第１防水壁及び前記第２防水壁における前記回路構成体側の端縁は、前記シール材に埋設されている請求項１ないし請求項５のいずれか一項に記載の電気接続箱。
【発明の詳細な説明】
【技術分野】
【０００１】
本発明は、電気接続箱に関する。
【背景技術】
【０００２】
従来より、車両に搭載される電気接続箱として特許文献１に記載のものが知られている。この電気接続箱は、回路構成体を収容するケーシングと、ケーシングの下面側に配設されてなると共に外部コネクタと嵌合可能なフード部を備えたコネクタハウジングと、フード部内に位置して配されると共にコネクタハウジングの天井壁を貫通してケーシング内の回路構成体と接続される複数の端子金具と、ケーシング内に設けられて天井壁の上方を覆う防水壁とを備える。
【０００３】
上記の構成によれば、雨天時又は洗車時にケーシング内に水が浸入した場合でも、防水壁により水がコネクタハウジングの天井壁の上に流れ落ちることを抑制できる。これにより、コネクタハウジングの天井壁を貫通する複数の端子金具同士を跨ぐように水が付着することを抑制できる。この結果、端子金具同士が短絡することを抑制できる。
【特許文献１】特開２００７−６６１０公報
【発明の開示】
【発明が解決しようとする課題】
【０００４】
しかしながら上記の構成においては、ケーシングの側壁と、端子金具との間には防水壁は設けられていない。このため、ケーシングの側壁の内面に付着した水が、車両の振動等により飛散し、端子金具に付着することが懸念される。
【０００５】
本発明は上記のような事情に基づいて完成されたものであって、防水性を向上させた電気接続箱を提供することを目的とする。
【課題を解決するための手段】
【０００６】
本発明は、電気接続箱であって、回路構成体を内部に収容するケーシングと、前記ケーシングの底部に設けられて相手側コネクタと嵌合可能なコネクタハウジングと、前記回路構成体に接続されると共に前記コネクタハウジングの壁部を貫通して前記コネクタハウジング内に引き込まれる複数の端子金具と、前記ケーシングとは別体に形成されて前記ケーシング内に配されてなり、且つ、隣り合う前記端子金具の上方を覆う第１防水壁を有すると共に、隣り合う前記端子金具と前記ケーシングの側壁との間を仕切る第２防水壁を有する防水カバーと、を備える。
【０００７】
本発明よれば、ケーシング内には、隣り合う端子金具の上方を覆う第１防水壁を備えた防水カバーが配設されているから、ケーシング内に浸入した水が上方から端子金具に付着して、隣り合う端子金具同士が短絡することを抑制できる。
【０００８】
また、ケーシング内には、ケーシングの側壁と、隣り合う端子金具との間を仕切る第２防水壁を備えた防水カバーが配設されている。この第２防水壁により、側壁から飛散する水が端子金具に付着して、隣り合う端子金具同士が短絡することを抑制できる。このように本発明によれば電気接続箱の防水性を向上させることができる。
【０００９】
本発明の実施態様としては、以下の構成が好ましい。
前記防水カバーは前記コネクタハウジングに取り付けられていてもよい。
【００１０】
上記の構成によれば、コネクタハウジング内に引き込まれる端子金具に水が付着することを確実に抑制できる。
【００１１】
前記第１防水壁の上面には、下降傾斜した傾斜面が形成されていてもよい。
【００１２】
上記の構成により、第１防水壁の上面に付着した水は、傾斜面に案内されて下方に流下する。これにより、ケーシング内の排水性を向上させることができる。
【００１３】
前記コネクタハウジングの上面には、前記コネクタハウジングの上に流れ落ちた水を前記コネクタハウジングの側方に案内するための排水溝が形成されていてもよい。
【００１４】
上記の構成によれば、コネクタハウジングの上面に付着した水は、排水溝に案内されて、コネクタハウジングの側方に排水される。これにより、ケーシング内の排水性を一層向上させることができる。
【００１５】
前記ケーシングの底部には排水口が形成されていてもよい。
【００１６】
上記の構成によれば、ケーシングの底部に流下した水は、排水口からケーシングの外部に排水される。これにより、ケーシング内の排水性を一層向上させることができる。
【００１７】
前記回路構成体の表面はシール材により覆われており、前記第１防水壁における前記回路構成体側の端縁は、前記シール材に埋設されていてもよい。
【００１８】
上記の構成によれば第１防水壁とシール材との間から水が浸入することを確実に抑制できる。
【００１９】
前記回路構成体の表面はシール材により覆われており、前記第２防水壁における前記回路構成体側の端縁は、前記シール材に埋設されていてもよい。
【００２０】
上記の構成によれば、第２防水壁とシール材との間から水が浸入することを確実に抑制できる。
【００２１】
前記回路構成体の表面はシール材により覆われており、前記第１防水壁及び前記第２防水壁における前記回路構成体側の端縁は、前記シール材に埋設されていてもよい。
【００２２】
上記の構成によれば、第１防水壁及び第２防水壁とシール材との間から水が浸入することを確実に抑制できる。
【発明の効果】
【００２３】
本発明によれば、電気接続箱の防水性を向上させることができる。
【発明を実施するための最良の形態】
【００２４】
本発明を車両用の電気接続箱１０に適用した一実施形態を図１ないし図１６を参照して説明する。このものは、バッテリー等の電源（図示せず）と、ヘッドランプ、ワイパー等の車載電装品（図示せず）との間に接続されて、各種車載電装品の通電及び断電を行う。
【００２５】
なお、以下の説明においては、図２における上側を上方とし、下側を下方とする。また、図２における紙面の手前側を表側とし、紙面の奥側を裏側とする。また、図２における左側を左方とし、右側を右方とする。
【００２６】
（回路構成体１２）
図１に示すように、電気接続箱１０は、扁平なケーシング１１内に回路構成体１２を収容してなる。図３に示すように、回路構成体１２は、回路基板１３の表面にプリント配線技術により形成された導電路（図示せず）に、電子部品１４がはんだ付けにより電気的に接続されてなる。回路基板１３としては、例えば、導電路が形成された絶縁基板を積層してなる厚膜基板を用いてもよい。
【００２７】
なお、電気接続箱１０は、図３に示すように、回路基板１３が垂直に配された姿勢で、図示しない車両に搭載されて使用される。
【００２８】
回路基板１３には、図３における上端寄りの位置に、複数のヒューズ端子１５が配設されている。ヒューズ端子１５は、左右方向（図３における紙面を貫通する方向）に並んで配設されている。ヒューズ端子１５は金属板材をプレス加工してなる。ヒューズ端子１５の一方の端部は、回路基板１３に形成されたスルーホール（図示せず）に挿通された状態ではんだ付けされ、導電路と電気的に接続される。
【００２９】
ヒューズ端子１５の他方の端部は、図３における上方に延びて形成されて、後述するケース本体１６に形成されたヒューズ装着部１７内に配設されている。
【００３０】
（ケーシング１１）
図３に示すように、ケーシング１１は、開口を有する合成樹脂製のケース本体１６と、ケース本体１６の開口を塞ぐ合成樹脂製のカバー１８とを備える。ケース本体１６は表裏方向（図３における左右方向）に浅い容器状をなしている。図３及び図４に示すように、ケース本体１６は、裏面側（図３における左側）に位置する裏壁２０と、上側（図４における上側）に位置する上壁２１と、下側（図４における下側）に位置する下壁２２と、左右両側に位置する一対の側壁１９とを備える。なお、図４においては、電子部品１４は省略されている。
【００３１】
裏壁２０には、表側（図３における右方）に突出して、回路基板１３を裏面側（図３における左方）から支持する支持ボス２３が設けられている。回路基板１３は、支持ボス２３に対して表側（図３における右側）から当接し、裏壁２０と隙間を空けた状態で、裏壁２０に重なるように配される。回路基板１３とケース本体１６とは、回路基板１３を介してボルト２４を支持ボス２３に螺合することにより固定される。
【００３２】
上壁２１には、上方（図３に置ける上方）に開口するヒューズ装着部１７が形成されている。このヒューズ装着部１７内にはヒューズ２５が装着可能になっている。このヒューズ装着部１７内にヒューズ２５が挿入され、ヒューズ２５とヒューズ端子１５とが電気的に接続される。
【００３３】
カバー１８は、ケース本体１６の側壁１９の外側面に設けられた複数のロック部２６（図４参照）と、カバー１８のうちロック部２６と対応する位置に設けられた複数のロック受け部２７（図１及び図２参照）とが弾性的に係合することで、ケース本体１６に取付けられる。
【００３４】
図３に示すように、カバー１８は、表側（図３における右側）に位置する表壁２８（側壁に相当）を備える。
【００３５】
（コネクタハウジング２９）
図３における回路基板１３の下端寄りの位置には、横長形状であって合成樹脂製のコネクタハウジング２９が配設されている。本実施形態においては、コネクタハウジング２９は回路基板１３に接続される基板用コネクタとされる。図３に示すように、コネクタハウジング２９には、回路基板１３の下面側から回路基板１３を貫通するボルト２４が螺合されるボルト受け部３０が設けられている。このボルト受け部３０にボルト２４が螺合されることで、コネクタハウジング２９は回路基板１３に固定される。
【００３６】
コネクタハウジング２９は、下方（図３に置ける下方）に開口して、図示しない相手側コネクタと嵌合可能なフード部３１を備える。フード部３１の上側に位置する奥壁３２（壁部に相当）には、上下方向に貫通する貫通孔が形成されている。この貫通孔内には端子金具３３が貫通されて、フード部３１内に引き込まれている。コネクタハウジング２９には複数の端子金具３３が配設されている。端子金具３３は、図３における上下２段に並んで配設されると共に、図６における左右方向に並んで配設されている。なお、図６における左端寄りの位置には、バッテリーに接続される電源用端子金具３３Ａが、他の端子金具３３と離間して配設されている。
【００３７】
端子金具３３のうち奥壁３２を貫通してコネクタハウジング２９の上方に突出した端部は、回路基板１３側に曲げ形成されており、回路基板１３に形成されたスルーホール３４内に挿通されて、はんだ付けにより回路基板１３の導電路と電気的に接続されている。ケース本体１６の裏壁２０には、端子金具３３との干渉を防ぐための逃げ凹部３５が裏面側に陥没して形成されている。
【００３８】
ケース本体１６の下壁２２には、コネクタハウジング２９を収容するための収容凹部３６が、裏壁２０側に陥没して形成されている。この収容凹部３６内に、コネクタハウジング２９が収容されている。コネクタハウジング２９のうち収容凹部３６と対向する位置には、パッキン３７を収容するための溝部３８が形成されている。この溝部３８内にパッキン３７が収容されて、溝部３８の内面と収容凹部３６との間にパッキン３７が密着することにより、ケース本体１６とコネクタハウジング２９との間がシールされる。
【００３９】
図３において二点鎖線で示すように、ケース本体１６の裏壁２０、上壁２１、側壁１９、下壁２２、及びコネクタハウジング２９に囲まれた空間には、シール材３９が充填されている。このシール材３９により回路構成体１２の表面が覆われている。具体的には、回路基板１３の表面及び電子部品１４のリード端子４０が被覆されることで、防水性が確保されている。また、シール材３９は、ケース本体１６の逃げ凹部３５内、及び、回路基板１３とケース本体１６の裏壁２０との間に形成された隙間内に充填されている。シール材３９としては、例えば合成樹脂を用いることができる。
【００４０】
図３に示すように、コネクタハウジング２９は、ケーシング１１の底部に、下方に開口した姿勢で配設されている。
【００４１】
（防水カバー４１）
コネクタハウジング２９の上部（図３における上側）には、ケーシング１１とは別体に形成された合成樹脂製の防水カバー４１が配設されている。図３に示すように、防水カバー４１は、コネクタハウジング２９に取付けられた状態で、裏面側（図３における左方）、及び下方（図３における下方）に開口している。図４に示すように、防水カバー４１は、コネクタハウジング２９の左右方向の幅寸法のうち、左端から略３分の２を上方から覆うように配設されている。
【００４２】
図３に示すように、防水カバー４１は、コネクタハウジング２９に配設された複数の隣り合う端子金具３３の上方を覆う第１防水壁４２を備える。図６に示すように、第１防水壁４２には、左右方向（図６における左右方向）中央付近を頂点として、左右方向両端部に向かって下降傾斜した第１傾斜面４３（傾斜面に相当）が形成されている。なお、第１防水壁４２は、電源用端子金具３３Ａと異なる端子金具３３の上方を覆うようになっている。
【００４３】
また、図３に示すように、防水カバー４１は、カバー１８の表壁２８と、コネクタハウジング２９に配設された複数の隣り合う端子金具３３との間を仕切る第２防水表壁４４（第２防水壁に相当）を有する。また、防水カバー４１は、図６に示すように、ケース本体１６の側壁１９と、コネクタハウジング２９の端子金具３３との間を仕切る、一対の第２防水側壁４５（第１防水壁４２に相当）を有する。
【００４４】
図１０に示すように、第２防水表壁４４の上端部には、第１防水壁４２の上面よりも上方（図１０における上方）に突出する上部止水壁４６が設けられている。上部止水壁４６は、第２防水表壁４４の左右方向の全幅に亘って形成されている。また、図９に示すように、第２防水壁の左右両端部には、第２防水側壁４５よりも左右方向（図９における左右方向）に延びる側部止水壁４７が設けられている。側部止水壁４７は、第２防水表壁４４の上下方向に亘って形成されている。
【００４５】
図６に示すように、第２防水側壁４５の外側面には、左右方向の外方に向かうに従って下降傾斜する第２傾斜面４８が形成されている。第２傾斜面４８は、第２防水側壁４５の上下方向に亘って形成されている。
【００４６】
図３に示すように、第１防水壁４２及び第２防水側壁４５のうち、回路構成体１２側（図３における左側）の端縁は、上述したシール材３９の内部に埋設されている。
【００４７】
図６及び図１１に示すように、第１防水壁４２の下側面には、左右方向の中央付近から、下方に垂下して、リブ４９が形成されている。このリブ４９の下端部には、左右方向に突出する第１ガイドリブ５０が、表裏方向に延びて設けられている。また、一対の第２防水側壁４５の下端部には、それぞれ、左右方向内方に突出すると共に表裏方向に延びて第２ガイドリブ５１が設けられている。
【００４８】
図６及び図７に示すように、コネクタハウジング２９の奥壁３２の外側面には、第１ガイドリブ５０及び第２ガイドリブ５１をそれぞれ収容するための第１収容溝５３及び第２収容溝５４が形成されている。
【００４９】
図８に示すように、防水カバー４１の下端縁には、奥側（図１２における下方）に突出する２つの係止部５５が設けられている。係止部５５は、一対のアーム部５６と、アーム部５６の下端部において左右方向外方に突出する係止爪５７とを備える。
【００５０】
図１２に示すように、第１ガイドリブ５０及び第２ガイドリブ５１の、第２防水表壁４４からの裏側（図１２における下方）への突出寸法は、係止部５５の、第２防水表壁４４からの裏側への突出寸法よりも大きく設定されている。
【００５１】
係止部５５は、コネクタハウジング２９の上端縁に形成された枠状をなす係止受け部５８内に表側から挿通されて、アーム部５６が左右方向内方に撓み変形し、アーム部５６が復帰変形して、係止爪５７が係止受け部５８に裏側から当接するようになっている（図１３参照）。これにより、防水カバー４１は、コネクタハウジング２９に取付けられるようになっている。このとき、第１ガイドリブ５０は表側から第１収容溝５３内に収容され、第２ガイドリブ５１は表側から第２収容溝５４内に収容されるようになっている。これにより、防水カバー４１は、コネクタハウジング２９に対して、正規取り付け位置に案内されるようになっている。
【００５２】
（排水構造）
図１４に示すように、コネクタハウジング２９の上面には、図１４における左端寄りの位置に、コネクタハウジング２９に流下した水を側方（図１４における左側縁）に案内するための排水溝５９が形成されている。図５に示すように、排水溝５９は、コネクタハウジング２９の上面のうち、防水カバー４１により覆われている領域とは異なる領域に形成されている。
【００５３】
コネクタハウジング２９の左右両側縁には、上述したパッキン３７を収容する溝部３８が内部に形成された一対の耳部６０が、左右方向に突出して形成されている。各耳部６０には、コネクタハウジング２９の左右両側縁を流下する水を下方に逃がすための逃がし孔６１が形成されている。
【００５４】
図１５に示すように、コネクタハウジング２９がケース本体１６に取付けられた状態で、逃がし孔６１は下方（図１５において紙面を貫通する方向手前側）に開口している。
【００５５】
ケース本体１６にカバー１８が取付けられた状態では、図６に示すように、逃がし孔６１の下方（図６における下方）にはカバー１８の下端部が位置している。図１６に示すように、ケース本体１６にカバー１８が取付けられた状態において、カバー１８の下端部と、コネクタハウジング２９の外側面との間には、電気接続箱１０の奥側（図１６において紙面の貫通方向手前側）に開口する隙間が形成されている。この隙間が、ケーシング１１内部に水を外部に排水可能な排水口６２となっている。
【００５６】
続いて、本実施形態の作用、効果について説明する。まず、防水カバー４１のコネクタハウジング２９への組付け工程について説明する。防水カバー４１を、コネクタハウジング２９に対して、表側から組み付ける。すると、防水カバー４１の第１ガイドリブ５０及び第２ガイドリブ５１が、それぞれ第１収容溝５３及び第２収容溝５４内に収容される。これにより、防水カバー４１のコネクタハウジング２９に対する左右方向及び上下方向の位置決めがなされる。
【００５７】
第１ガイドリブ５０及び第２ガイドリブ５１が、それぞれ、第１収容溝５３及び第２収容溝５４内に収容された状態で、防水カバー４１を、裏側に向けて変位させる。すると、防水カバー４１の係止部５５が、コネクタハウジング２９の係止受け部５８と表側から当接する。さらにコネクタハウジング２９を裏側に向けて変位させると、係止部５５のアーム部５６が左右方向内方に撓み変形し、その後、復帰変形し、アーム部５６の係止爪５７が、ハウジングの係止受け受け部に裏側から当接する。これにより、防水カバー４１がコネクタハウジング２９に対して正規位置に組み付けられる。
【００５８】
次に、ケーシング１１内に浸入した水の排水経路について説明する。降雨や車両の洗浄等により、例えばヒューズ装着部１７からケーシング１１内に水が浸入すると、水は、ケーシング１１内を下方に流下し、防水カバー４１の第１防水壁４２の上面に流下する。第１防水壁４２の上面に流下した水は、第１防水壁４２の上面に、左右方向に向かうに従って下降傾斜して形成された第１傾斜面４３により、防水カバー４１の左右両側方に案内される。
【００５９】
なお、第１防水壁４２の上面に流れ落ちた水は、第１防水壁４２の表側の端縁に形成された第１止水壁により、表側に溢れ出ることが規制されている。また、第２防水側壁４５に流れ落ちた水は、第２防水表壁４４の左右両側縁に形成された第２止水壁により、表側に溢れ出ることが規制されている。
【００６０】
第１防水壁４２の第１傾斜面４３を流下した水は、第１防水壁４２の左右両端縁から、一対の第２防水側壁４５に流下する。この第２防水側壁４５の外側面には、左右方向外方に向かうに従って傾斜する第２傾斜面４８が形成されているから、水は、防水カバー４１の左右方向外方に案内される。
【００６１】
水は、第２傾斜面４８の下端縁から下方に流下する。防水カバー４１のうち、図６における右側の第２防水側壁４５から流下した水は、矢線Ａに示すように、コネクタハウジング２９の逃がし孔６１を通って、下方に流下する。その後、水は、図１６に示す排水口６２からケーシング１１の外部に排水される。
【００６２】
一方、図６における左側の第２防水側壁４５から流下した水は、コネクタハウジング２９の上面に形成された排水溝５９に流れ込む。排水溝５９に流れ込んだ水は、コネクタハウジング２９の側方に案内される。コネクタハウジング２９の側方に案内された水は、図６における矢線Ｂに示すように、コネクタハウジング２９の逃がし孔６１を通って、下方に流下する。その後、図１６に示す排水口６２からケーシング１１の外部に排水される。
【００６３】
本実施形態によれば、ケーシング１１内には、隣り合う端子金具３３の上方を覆う第１防水壁４２を備えた防水カバー４１が配設されている。これにより、ケーシング１１内に浸入した水が、隣り合う端子金具３３を跨ぐように付着することを抑制できる。この結果、隣り合う端子金具３３同士が短絡することを抑制できる。
【００６４】
また、ケーシング１１内に浸入した水は、カバー１８の表壁２８の内面に付着し、カバー１８の表壁２８の内面を伝って流下する場合もある。カバー１８の表壁２８の内面を伝って流下した水が、例えば車両の振動により、回路構成体１２側に飛散することが懸念される。
【００６５】
本実施形態によれば、ケーシング１１内には、カバー１８の表壁２８と、隣り合う端子金具３３との間を仕切る第２防水表壁４４を備えた防水カバー４１が配設されている。この第２防水表壁４４により、カバー１８の表壁２８から飛散する水が端子金具３３に付着して、隣り合う端子金具３３同士が短絡することを抑制できる。
【００６６】
また、ケーシング１１内に浸入した水は、ケース本体１６の側壁１９の内面を伝って流下する場合もある。ケース本体１６の側壁１９の内面を伝って流下した水が、振動等により回路構成体１２側に飛散した場合でも、ケース本体１６の側壁１９と、隣り合う端子金具３３との間を仕切る第２防水側壁４５により、端子金具３３に付着することが抑制される。
【００６７】
このように本実施形態によれば、電気接続箱１０の防水性を向上させることができる。
【００６８】
また、本実施形態によれば、防水カバー４１はコネクタハウジング２９に取り付けられている。これにより、コネクタハウジング２９内に引き込まれる端子金具３３に水が付着することを確実に抑制できる。
【００６９】
また、例えば、第１防水壁４２、第２防水表壁４４、及び第２防水側壁４５をケース本体１６に一体に設けた場合、第１防水壁４２、第２防水表壁４４、及び第２防水側壁４５により端子金具３３が覆われてしまう。このため、コネクタハウジング２９を取り付けた回路構成体１２をケース本体１６に組み付ける際に、場合によっては手探りで作業を行わなければならなくなるため、作業効率が低下するおそれがある。
【００７０】
この点に鑑み、本実施形態においては、防水カバー４１は、ケーシング１１とは別体に形成されている構成とした。これにより、回路構成体１２をケース本体１６に組み付けた後に、コネクタハウジング２９に防水カバー４１を組み付けることにより、端子金具３３を防水カバー４１で覆うことができる。この結果、手探りで組付け作業をする必要がないので、作業性が向上する。
【００７１】
また、本実施形態によれば、第１防水壁４２の上面には、左右方向に向かうに従って下降傾斜した第１傾斜面４３が形成されていている。これにより、第１防水壁４２の上面に付着した水は、第１傾斜面４３に案内されて下方に流下するから、ケーシング１１内の排水性を向上させることができる。
【００７２】
さらに、本実施形態においては、コネクタハウジング２９の上面には、コネクタハウジング２９の上に流れ落ちた水をコネクタハウジング２９の側方に案内するための排水溝５９が形成されている。これにより、コネクタハウジング２９の上面に付着した水は、排水溝５９に案内されて、コネクタハウジング２９の側方に排水される。これにより、ケーシング１１内の排水性を一層向上させることができる。
【００７３】
その上、ケーシング１１の底部には、カバー１８の下端部とコネクタハウジング２９の外側面との間に排水口６２が形成されていてるから、ケーシング１１の底部に流下した水は、排水口６２からケーシング１１の外部に排水される。これにより、ケーシング１１内の排水性を一層向上させることができる。
【００７４】
また、回路構成体１２の表面はシール材３９により覆われており、第１防水壁４２における回路構成体１２側の端縁は、シール材３９に埋設されている。これにより、第１防水壁４２の上面に流れ落ちた水が、回路構成体１２側の端縁とシール材３９との間から溢れ出して、第１防水壁４２の下方に位置する端子金具３３の上に付着することを確実に抑制できる。この結果、隣り合う端子金具３３同士が短絡することを確実に抑制できる。
【００７５】
さらに、第２防水側壁４５における回路構成体１２側の端縁は、シール材３９に埋設されている。これにより、第２防水側壁４５とシール材３９との間から水が浸入することを確実に抑制できる。
【００７６】
＜他の実施形態＞
本発明は上記記述及び図面によって説明した実施形態に限定されるものではなく、例えば次のような実施形態も本発明の技術的範囲に含まれる。
【００７７】
（１）本実施形態においては、防水カバー４１はコネクタハウジング２９に取付けられる構成としたが、これに限られず、カバー１８、ケース本体１６、回路構成体１２等、ケーシング１１内であれば、任意の部材に取付けることができる。
（２）本実施形態においては、第１防水壁４２の回路構成体１２側の端縁はシール材３９に埋設される構成としたが、これに限られず、第１防水壁４２の回路構成体１２側の端縁は、シール材３９の表面に接していてもよく、また、シール材３９に埋設されていなくてもよい。
（３）本実施形態においては、第２防水側壁４５の回路構成体１２側の端縁はシール材３９に埋設される構成としたが、これに限られず、第２防水側壁４５の回路構成体１２側の端縁は、シール材３９の表面に接していてもよく、また、シール材３９に埋設されていなくてもよい。
（４）本実施形態においては、第１防水壁４２の上壁２１の外側面には下降傾斜する第１傾斜面４３が形成されていたが、これに限られず、第１防水壁４２の上壁２１の外側面は、平坦に形成されていてもよい。
（５）本実施形態においては、第１傾斜面４３は、防水カバー４１の左右方向の幅寸法の中央付近を頂点として、左右両端部に向かうに従って下降傾斜する構成としたが、これに限られず、第１傾斜面４３は、防水カバー４１の一方の端部を頂点として、他方の端部に向かうに従って片流れ状に下降傾斜して形成されてもよい。
（６）本実施形態においては、コネクタハウジング２９はケーシング１１と別体に形成される構成としたが、これに限られず、コネクタハウジング２９は、カバー１８又はケース本体１６等、ケーシング１１と一体に形成される構成としてもよい。
【図面の簡単な説明】
【００７８】
【図１】本実施形態に係る電気接続箱を示す全体斜視図
【図２】電気接続箱を示す正面図
【図３】図２におけるＡ−Ａ線断面図
【図４】電気接続箱のカバーを取り外した状態を示す正面図
【図５】電気接続箱のカバーを取り外した状態を示す要部拡大斜視図
【図６】図３におけるＢ−Ｂ線断面を示す要部拡大図
【図７】コネクタハウジングを示す正面図
【図８】防水カバーを示す正面図
【図９】防水カバーを示す平面図
【図１０】防水カバーを示す側面図
【図１１】防水カバーを示す背面図
【図１２】防水カバーを示す底面図
【図１３】図４におけるＣ−Ｃ線断面図
【図１４】端子金具が配設された状態のコネクタハウジングを示す平面図
【図１５】電気接続箱のカバーを取り外した状態を示す要部拡大底面図
【図１６】電気接続箱を示す要部拡大背面図
【符号の説明】
【００７９】
１０…電気接続箱
１２…回路構成体
１６…ケース本体（ケーシング１１）
１８…カバー（ケーシング１１）
１９…側壁
２８…表壁（側壁）
２９…コネクタハウジング
３３…端子金具
３９…シール材
４１…防水カバー
４２…第１防水壁
４３…第１傾斜面（傾斜面）
４４…第２防水表壁（第２防水壁）
４５…第２防水側壁（第２防水壁）
５９…排水溝
６２…排水口
【図１】
2009124874.tif 000003
【図２】
2009124874.tif 000004
【図３】
2009124874.tif 000005
【図４】
2009124874.tif 000006
【図５】
2009124874.tif 000007
【図６】
2009124874.tif 000008
【図７】
2009124874.tif 000009
【図８】
2009124874.tif 000010
【図９】
2009124874.tif 000011
【図１０】
2009124874.tif 000012
【図１１】
2009124874.tif 000013
【図１２】
2009124874.tif 000014
【図１３】
2009124874.tif 000015
【図１４】
2009124874.tif 000016
【図１５】
2009124874.tif 000017
【図１６】
2009124874.tif 000018